(57)【要約】【課題】  耳が聞こえにくい患者でも、検者からの撮影（検査）の指示が適切に伝わり、不用意に動いたりすることがなく、適切な画像を撮影できる画像診断装置を提供する。【解決手段】  被検者ＰにＸ線を照射する手段２と、被検者Ｐを透過してきたＸ線を検出するための検出器３と、被検者Ｐの撮影位置を撮影領域内に位置決めするための寝台６と、寝台６に設けられ、横臥した被検者Ｐの頭部を載せるための凹部９１が形成されたヘッドレスト９が設置された天板７とを具備する画像診断装置１において、ヘッドレスト９の凹部９１には、検者からの撮影指示を報知するための骨伝導スピーカ１０が被検者Ｐの頭部に当接するように設置されている。【選択図】      図１
2006239158.tif 000002
【特許請求の範囲】
【請求項１】
Ｘ線撮影のために被検者にＸ線を照射する手段と、被検者を透過してきたＸ線を検出するための検出器と、被検者の撮影位置を撮影領域内に位置決めするための寝台と、その寝台に設けられ、横臥した前記被検者の頭部を載せるための凹部が形成されたヘッドレストが設置された天板とを具備する画像診断装置において、前記ヘッドレストの凹部には、検者からの撮影指示を報知するための骨伝導スピーカが被検者の頭部に当接するように設置されたことを特徴とする画像診断装置。
【請求項２】
Ｘ線撮影のために被検者にＸ線を照射する手段と、被検者を透過してきたＸ線を検出するための検出器と、被検者の撮影位置を撮影領域内に位置決めするための寝台とを具備した画像診断装置において、検者からの撮影指示を報知するための骨伝導スピーカを前記寝台の天板上に横臥した被検者の顎部に当接させる補助パッドが設置されたことを特徴とする画像診断装置。
【発明の詳細な説明】
【技術分野】
【０００１】
本発明は、Ｘ線ＣＴ装置などの画像診断装置に関するものである。
【背景技術】
【０００２】
従来より、Ｘ線ＣＴ装置などを用いた画像診断では、被検体をスキャンする際に、Ｘ線ＣＴ装置の架台に搭載されたスピーカからスキャン前音声及びスキャン後音声などで患者（＝被検体）に対して撮影（検査）のタイミングを検者が知らせて、息止めなどを指示していた（特許文献１参照）。
【０００３】
【特許文献１】特開平１０−９９３１８号公報
【発明の開示】
【発明が解決しようとする課題】
【０００４】
しかしながら、聴力が不自由な患者や、加齢などによって聴力が弱くなった患者では、前記架台に設置されたスピーカからの音声がうまく聞こえず、撮影するための指示（被検体の移動など）が十分に伝わらず、患者が検査中に動いてしまって適切な画像が撮影できず、画像診断がうまく行われないことがあった。
【０００５】
また、特許文献１に記載の画像診断装置では、Ｘ線撮影開始から終了までの時間経過（及び又は進行状況）を被検者に視覚的に報知する手段として、ＬＥＤ表示部を採用しているが、これを時間経過に限らず、検者からの指示を報知する手段として置き換えたとしても、被検者はこのＬＥＤ表示部に注視しなければならず、リラックスした状態で撮影に臨めない。また、撮影中、被検者に対して詳細に指示するにはＬＥＤ表示部の設置に限界が生じることがある。
【０００６】
本発明は、以上の問題点に鑑みてなされたものであって、その目的は、耳が聞こえにくい患者でも、検者からの撮影（検査）の指示が適切に伝わり、不用意に動いたりすることがなく、適切な画像を撮影できる画像診断装置を提供することにある。
【課題を解決するための手段】
【０００７】
上記課題を解決するための、請求項１記載の発明に係る画像診断装置は、Ｘ線撮影のために被検者にＸ線を照射する手段と、被検者を透過してきたＸ線を検出するための検出器と、被検者の撮影位置を撮影領域内に位置決めするための寝台と、その寝台に設けられ、横臥した前記被検者の頭部を載せるための凹部が形成されたヘッドレストが設置された天板とを具備する画像診断装置において、前記ヘッドレストの凹部には、検者からの撮影指示を報知するための骨伝導スピーカが被検者の頭部に当接するように設置されたことを特徴とする。
【０００８】
上記課題を解決するための、請求項２記載の発明に係る画像診断装置は、Ｘ線撮影のために被検者にＸ線を照射する手段と、被検者を透過してきたＸ線を検出するための検出器と、被検者の撮影位置を撮影領域内に位置決めするための寝台とを具備した画像診断装置において、検者からの撮影指示を報知するための骨伝導スピーカを前記寝台の天板上に横臥した被検者の顎部に当接させる補助パッドが設置されたことを特徴とする。
【発明の効果】
【０００９】
本発明によれば、頭部Ｘ線撮影をする際に用いられるヘッドレストに、骨伝導方式のスピーカを設置したので、耳が聞こえにくい患者でもＣＴ検査のタイミングが適切に伝わり、不用意に動いたりすることがなく、適切な画像を撮影でき、結果としてより適切な画像診断を行うことができる。
【発明を実施するための最良の形態】
【００１０】
以下、本発明の実施形態につき、図面を参照して説明する。
図１は、本発明に係る画像診断装置の一実施形態における構成を示すブロック図である。
【００１１】
図１に示すように、本実施形態の画像診断装置として、Ｘ線ＣＴ装置１は、照射線としてＸ線を用い、被検者の各部のＸ線吸収度に応じた分布を再生画像として得るものである。
【００１２】
被検者Ｐを挟んでＸ線管２とＸ線検出器３が常に対向して配置されており、Ｘ線管２から発せられたＸ線は人体にて一部吸収され、残りが透過Ｘ線としてＸ線検出器３に到達し、検出されて投影データとなる。
【００１３】
得られた投影データはデータ収集部４から画像再構成装置に送られ、制御用のコンピュータを介して処理されて画像表示装置に表示したり、画像記憶装置に格納したりする。
【００１４】
この場合、Ｘ線を発生させるための高電圧発生装置やＸ線管２やＸ線検出器３やデータ収集部４は、図２に示す架台５に内蔵され回転しながら被検者Ｐを撮影する。
【００１５】
そして、図２に示すように、被検者Ｐは、この架台の開口部８において、Ｘ線管２とＸ線検出器３の間の撮影領域内に撮影位置を正確に位置決めするために設けられた寝台６上の天板７に横たわっている。
【００１６】
本実施形態では、このようなＸ線ＣＴ装置１において被検者の頭部のＸ線画像を撮像するために、図３に示すように、被検者Ｐが寝台６に横臥する際に頭部を載せるためのヘッドレスト９を寝台６上の天板７へ取り付ける。
【００１７】
ヘッドレスト９は、被検者Ｐの頭部が載せるための凹部９１が形成されている。この凹部９１は、被検者Ｐの頭部を収納するようにくりぬいた形状をなしている。従って、被検者Ｐの頭部をヘッドレスト９に載せた場合には、凹部９１によって被検者Ｐの頭部が固定されることになる。
【００１８】
そして、凹部９１において被検体Ｐの頭部（特に、頭部の薄い皮膚を介して頭骸骨に振動が伝わりやすい部分）に当接する位置に、骨伝導スピーカ１０が面ファスナー（いわゆるマジックテープ（登録商標））などによって固着されている。
【００１９】
ここで、図１に示すように、骨伝導スピーカ１０は、制御用のコンピュータに接続ライン１０１により接続されている。すなわち、検者からの音声による指示が、制御用のコンピュータに接続された音声入力用マイク（図示せず））から入力されたときには、前記制御用のコンピュータは、音声信号及び振動信号に変換処理して骨伝導スピーカ１０に伝達する。
【００２０】
なお、骨伝導スピーカ１０は、ヘッドレスト９の内部に設けられてもよい。その場合、例えば、骨伝導スピーカ１０から発せられる音声及び振動が凹部９１の方向に向けられ、かつ、被検者Ｐの頭部の薄い皮膚を介して頭骸骨に振動が伝わりやすい箇所に設けられることが望ましい。
【００２１】
通常、被検者が音を聞くときは、鼓膜が音を空気の振動として受け取り、耳の中のいろいろな器官を経て聴覚神経から脳に伝わり、音として感知するが、本発明のように、骨伝導スピーカによって検者の音声に対応する振動が伴って被検者に伝われば、音の振動が被検者の頭蓋骨に直接伝わり、被検者は、聴覚神経器官に入ったものを音として感じとることになる。
【００２２】
従って、耳が聞こえにくい患者（被検者）でもＣＴ検査のタイミングが適切に伝わり、不用意に動いたりすることがなく、適切な画像を撮影でき、結果としてより適切な画像診断を行うことができる。
【００２３】
他の実施形態として、ヘッドレストの凹部と患者の頭部との間に隙間が生じ、骨伝導スピーカが患者の頭部（例えば、耳の後ろ）に密着できないときのために、骨伝導スピーカを装着したスポンジ様の補助パッドを用意し、患者の顎の部分に面ファスナーなどを用いて密着させてもよい。
【００２４】
上述の各実施形態は、本発明の一例であり、本発明は各実施の形態に限定されることはない。また、この他であっても、本発明に係る技術的思想を逸脱しない範囲であれば、設計等に応じて種々の変更が可能である。
【図面の簡単な説明】
【００２５】
【図１】本発明に係る画像診断装置の一実施形態における構成を示すブロック図。
【図２】本発明に係る画像診断装置の一実施形態における構成を示す斜視図。
【図３】本発明に係る画像診断装置の一実施形態におけるヘッドレストの構成を示す図。
【符号の説明】
【００２６】
１  画像診断装置
２  Ｘ線管
３  Ｘ線検出器
４  データ収集部
５  架台
６  寝台
７  天板
８  架台の開口部
９  ヘッドレスト
１０  骨伝導スピーカ
Ｐ  被検体
【図１】
2006239158.tif 000003
【図２】
2006239158.tif 000004
【図３】
2006239158.tif 000005